(57)【要約】【課題】  表示パネルを簡単にフレームケースの凹部内における適正な位置に収納することのできるフレームケースを提供する。【解決手段】    表示パネル２を収納する凹部４が形成され、前記凹部４を構成する一対の側壁５ａ，５ｂおよび一対の端壁５ｃ、５ｄのうち一方の側壁（５ａ）を表示パネル２の収納時の基準側壁５ａとし、一方の端壁（５ｃ）を基準端壁５ｃとするフレームケース１において、前記基準側壁５ａに対向する他方の側壁５ｂには凹部４に収納する表示パネル２を前記基準側壁方向へ押圧するように作用する第１押圧手段８を形成し、前記基準端壁５ｃに対向する他方の端壁５ｄには凹部４に収納する表示パネル２を前記基準端壁方向へ押圧するように作用する第２押圧手段９を形成する。【選択図】      図１
2007003858.tif 000002
【特許請求の範囲】
【請求項１】
表示パネルを収納する凹部を構成する一対の側壁および一対の端壁のうち、一方の側壁が表示パネルの収納時の基準側壁とされるとともに、一方の端壁が基準端壁とされるフレームケースにおいて、
前記基準側壁に対向する他方の側壁に、前記凹部に収納される表示パネルを前記基準側壁側へ押圧するように作用する第１押圧手段が形成され、前記基準端壁に対向する他方の端壁に、前記凹部に収納される表示パネルを前記基準端壁側へ押圧するように作用する第２押圧手段が形成されていることを特徴とするフレームケース。
【請求項２】
前記第１押圧手段および第２押圧手段は、それぞれ前記他方の側壁および他方の端壁における一部を凹部内へ突出させるように撓ませた押圧部として形成されていることを特徴とする請求項１に記載のフレームケース。
【発明の詳細な説明】
【技術分野】
【０００１】
本発明は、表示パネルを簡単に適正な位置に収納することのできるフレームケースに関する。
【背景技術】
【０００２】
一対の透明基板間に液晶を封止してなり、前記一対の透明基板の所定の部分に選択的に電界を与えて特定の図形や文字等の情報を表示する液晶表示パネルを内蔵した液晶表示装置が、携帯電話やＰＤＡ（Personal Digital Assistant）等の表示装置として多く用いられている。
【０００３】
このような表示装置は、例えば液晶表示装置においては、フレームケース内に電気回路系等を組み込んだ液晶表示パネルをその表示領域が前記フレームケースの上面に位置するように配設させるとともに、前記液晶表示パネルの反視認側にバックライトユニットを配置させた構成とされている。
【０００４】
図４は、従来の液晶表示装置における前記フレームケース１と、前記フレームケース１に収納される各部品を示す要部分解断面図である。
【０００５】
この図４に示す前記液晶表示装置のフレームケース１は、前記液晶表示パネル２やバックライトユニット３等の各部品（本明細書において、液晶表示パネル２およびバックライトユニット３と記す。）を収納する凹部４が形成された筐体とされており、前記凹部４内には液晶表示パネル２およびバックライトユニット３が収納されている。
【０００６】
ここで、前記液晶表示パネル２は、互いに対向する面に図示しない透明電極が積層形成された一対の透明基板２１、２２を、これらの透明基板２１，２２の周辺部に塗布された図示しないシール材により一体に貼り合わせ、これら各透明基板２１、２２の間に図示しないギャップ材や液晶を注入密封した後、各透明基板２１、２２の外側面に偏光板２３、２４を貼着することにより構成されている。
【０００７】
また、前記バックライトユニット３は、前記液晶表示パネル２の背面側、すなわち、フレームケース１の凹部４内の底面側に収納され、バックライトユニット３の側面に設けられた入射面から内部へ入射した光源の光を前記液晶表示パネル２の表示領域に向う平面光として照射する導光板１５、前記導光板１５の裏面から漏れる光を前記導光板１５に反射させて戻すための反射フィルム１６、前記導光板１５から照射される光を拡散させるための拡散フィルム１７、輝度を上昇させるための２枚の光学フィルム１８ａ、１８ｂおよびＬＥＤやＣＣＴ（冷陰極蛍光管）などの光源（図示せず）から構成されている。
【０００８】
そして、前記フレームケース１の側方に設置された光源は前記バックライトユニット３の背面側に配設される図示しない回路基板から電極端子（図示せず）を通じて供給される電流によって発光し、前記光源から発光される照射光は、前記導光板１５により面光源として機能し、前記液晶表示パネル２に均一に照射光を照射するように構成されている。
【０００９】
ところで、前記フレームケース１の凹部４の内径寸法と前記液晶表示パネル２の外形寸法は、前記フレームケース１内に収納された前記液晶表示パネル２の位置ずれ防止や狭額縁化の観点から、その寸法差はなるべく小さくなるようにして設定される。そして、前記フレームケース１内に液晶表示パネル２を収納する際、液晶表示パネル２を略水平状態に保持した状態で前記フレームケース１の凹部４内のバックライトユニット３の上面に積層することは困難である。
【００１０】
そのため、従来においては、前記フレームケース１内に液晶表示パネル２を収納する際には、フレームケース１の一端壁の内側面を液晶表示パネル２の収納時の基準面とし、前記フレームケース１の一端壁側に位置する前記液晶表示パネル２の一端部側を他端部側よりも前記フレームケース１に近接するように傾斜させた状態に保持して、前記液晶表示パネル２の一端部側を前記基準面に当接させ、前記液晶表示パネル２の一端部側の端面下辺を前記凹部４内に収納されたバックライトユニット３の上面に当接させる。そして、前記液晶表示パネル２と前記基準面との当接部位を回動中心軸として前記液晶表示パネル２の他端部側を前記凹部４内へ回動させ、前記凹部４内のバックライトユニット３の上面に液晶表示パネル２を積層するようにしていた。
【００１１】
【特許文献１】特開平１１−２３１２９０号公報
【特許文献２】特開２００２−３２８６１９号公報
【発明の開示】
【発明が解決しようとする課題】
【００１２】
しかしながら、このような従来のフレームケース１に対する液晶表示パネル２の組み込み作業によれば、前記基準面と表示パネルの一端部側端面との間に間隙が形成されてしまい、液晶表示パネル２の位置決めを正確に行うことができなかった。
【００１３】
例えば、図５（説明上、フレームケース１と液晶表示パネル２のみを図示する）に示すように、凹部４内への液晶表示パネル２の一端側の挿入角度（凹部底面からの仰角）を５°、収納時の液晶表示パネル２の前記一端部側端面の凹部底面との角度を９０°、液晶表示パネルの厚さ（ｔ）を０．８ｍｍとすると、次式のように０．０７ｍｍの間隙（ａ）が形成されることが想定される。
ＣＯＳ８５°＝ａ／０．８（ｍｍ）
ａ＝ＣＯＳ８５°×０．８（ｍｍ）＝０．０７（ｍｍ）
【００１４】
そして、フレームケース１内における液晶表示パネル２の位置ずれが生じた場合には、前記バックライトユニット３を構成する前記拡散フィルム１７や光学フィルム１８等との関係で、輝度や輝度比に問題が生じ、表示装置の表示品質に悪影響を及ぼすことがあった。
【００１５】
そこで、本発明は、表示パネルを簡単にフレームケースの凹部内における適正な位置に収納することのできるフレームケースを提供することを目的とする。
【課題を解決するための手段】
【００１６】
前述した目的を達成するため、本発明の請求項１に係るフレームケースは、表示パネルを収納する凹部が形成され、前記凹部を構成する一対の側壁および一対の端壁のうち一方の側壁を表示パネルの収納時の基準側壁とし、一方の端壁を基準端壁とするフレームケースにおいて、前記基準側壁に対向する他方の側壁には凹部に収納する表示パネルを前記基準側壁方向へ押圧するように作用する第１押圧手段が形成され、前記基準端壁に対向する他方の端壁には凹部に収納する表示パネルを前記基準端壁方向へ押圧するように作用する第２押圧手段が形成されていることを特徴とする。
【００１７】
また、本発明の請求項２に係るフレームケースは、前記第１押圧手段および第２押圧手段が、それぞれ前記他方の側壁および他方の端壁における一部を凹部内へ突出させるように撓ませた押圧部として形成されていることを特徴とする。
【発明の効果】
【００１８】
本発明の請求項１に係るフレームケースは、前記凹部内の一隅部に形成されることとなる、基準側壁と基準端壁との交線は液晶表示パネルの位置合わせの基準線となる。そして、前記凹部に前記表示パネルを収納する際、前記第１押圧手段部は前記表示パネルを前記基準側壁方向へ押圧するように作用し、同様に、前記第２押圧手段部は前記表示パネルを前記基準端壁方向へ押圧するように作用する。これにより、前記表示パネルを前記基準線が形成された一隅部に押動することができ、結果として、表示パネルを前記凹部内の適正な位置に配置することができる。
【００１９】
さらに、前記第１押圧手段および第２押圧手段を前記他方の側壁および他方の端壁における一部（中央部）を凹部内へ突出させた可撓部として形成する本発明の請求項２に係るフレームケースは、前記第１押圧手段は、前記凹部に前記表示パネルを収納する際に、一旦、前記凹部の外方へ撓み、前記表示パネルを収納した後は、その弾性復元力により前記液晶表示パネルの一側面に当接し、前記表示パネルを基準側壁方向へ押圧するように作用する。同様に、前記第２押圧手段も、前記凹部に前記液晶表示パネルを収納する際に、一旦、前記凹部の外方へ撓み、その弾性復元力により前記表示パネルの一端面に当接し、前記表示パネルを基準側壁方向へ押圧するように作用する。
【００２０】
これにより、極めて簡単に前記表示パネルを前記基準線が形成された、凹部内の一隅部に押動することができ、結果として、簡単に、表示パネルを前記凹部内の適正な位置に配置することができる。
【００２１】
また、本発明のフレームケースによれば、フレームケースへの表示パネルの収納や交換などの作業が簡便になる。さらに、前記第１押圧手段および第２押圧手段は可撓性を付与されているので、表示パネルなどの部品が、その外形寸法を多少増減して作製されたような場合であっても、各押圧手段の可撓性により前記部品の寸法誤差を吸収し、フレームケースの外形寸法には影響させない等の効果を奏する。
【発明を実施するための最良の形態】
【００２２】
本実施形態のフレームケース１は、ポリカーボネート、ＡＢＳ樹脂などの樹脂素材を射出成型してなり、図１に示すように、該フレームケース１に収納される表示パネルとしての液晶表示パネル２とほぼ同じ大きさの平面形状とされた略四角枠状とされており、その上面には、前記液晶表示パネル２およびバックライトユニット３を収納する凹部４が形成されている。
【００２３】
本実施形態におけるフレームケース１は、前記凹部４を構成する底壁６と、これに立設する周壁５とを有している。前記周壁５は、一対の側壁５ａ、５ｂおよび一対の端壁５ｃ、５ｄからなり、前記一対の側壁５ａ、５ｂのうち一方の側壁５ａは、液晶表示パネル２をフレームケース４に収納する際の液晶表示パネル２の配置位置を規制する基準側壁５ａとされている。同様に、一対の端壁５ｃ、５ｄのうち一方の側壁５ｃは、液晶表示パネル２をフレームケース４に収納する際の液晶表示パネル２の配置位置を規制する基準端壁５ｃとされている。そして、前記凹部４内の一隅部に形成されることとなる、基準側壁５ａと基準端壁５ｃとの交線は液晶表示パネルの位置合わせの基準線とされている。また、本実施形態においては、基準側壁５ａおよび基準端壁５ｃの延在方向中央部には、前記凹部４に収納される液晶表示パネル２の端子接続部（図示せず）に電気的に接続されたＦＰＣなどの端子接続部材１１を凹部外へ導出させるための切欠き部１０が形成されている（図３参照）。
【００２４】
また、前記基準側壁５ａに対向する他方の側壁５ｂには、凹部４に収納する液晶表示パネル２を前記基準側壁方向へ押圧するように作用する第１押圧手段８が形成され、前記基準端壁５ｃに対向する他方の端壁５ｄには、凹部４に収納する液晶表示パネル２を前記基準端壁方向へ押圧するように作用する第２押圧手段９が形成されている。本実施形態において、前記第１押圧手段８は、前記側壁５ｂの延在方向における中央部を頂部として当該側壁５ｂの内面から前記凹部４内へ突出させるように曲げ形成され、撓ませて可撓性が付与された形状の押圧部として形成されている。同様に、前記第２押圧手段９は、前記端壁５ｄの延在方向における中央部を頂部として当該端壁５ｄの内面から前記凹部４内へ突出させるように曲げ形成され、撓ませて可撓性が付与された形状の押圧部として形成されている。
【００２５】
また、本実施形態においては、図１および図２に示すように、第１押圧手段８、第２押圧手段９の形成位置に対応し、前記側壁５ｂと底壁６とにより形成される底面コーナー部および端壁５ｄと底壁６とにより形成される底面コーナー部には、それぞれ開口部７が形成されている。
【００２６】
つまり、前記第１押圧手段８および第２押圧手段９は、それぞれ前記開口部７によって前記凹部４を構成する底壁６と連接されず、前記押圧部として形成された部分の両側に垂設された側壁５ｂや端壁５ｄの残部分に連接されることで、図３に「撓み幅」として示すような当該フレームケース１の寸法内における、十分な撓み量の可撓性が付与されている。
【００２７】
そして、前記第１押圧手段８および第２押圧手段９は、図３に示すように、前記凹部４に前記液晶表示パネル２およびバックライトユニット３を収納する際には、当該フレームケース１の寸法内において拡開するように一旦撓み、前記凹部４に前記液晶表示パネル２およびバックライトユニット３を収納した後には、その弾性復元力により前記頂部が前記液晶表示パネル２およびバックライト３の側面に当接して前記液晶表示パネル２およびバックライトユニット３をその突出方向、すなわち、第１押圧手段８は前記基準側壁方向へ、第２押圧手段９は前記基準端壁方向へ押圧するように作用する。
【００２８】
これにより、極めて簡単に前記液晶表示パネルを前記基準線が形成された凹部内の一隅部に押動することができ、結果として、簡単に、液晶表示パネルを前記凹部内の適正な位置に配置させることができる。
【００２９】
このように、本実施形態のフレームケース１によれば、前記第１押圧手段８および第２押圧手段部９が、前記凹部４に前記液晶表示パネル２およびバックライトユニット３を収納したり、前記凹部４から前記液晶表示パネル２やバックライトユニット３の構成部品を回収したりする際に、当該フレームケース１の寸法内において拡開するように撓むので、フレームケース１への前記液晶表示パネル２およびバックライトユニット３の収納や回収、これらの構成部品の交換などの作業が簡便になる。そして、前記凹部４に前記液晶表示パネル２およびバックライトユニット３を収納した後は、可撓性が付与された前記第１押圧手段８と第２押圧手段９が有する弾性復元力により、図３に白抜き矢印で示すように、前記液晶表示パネル２およびバックライトユニット３を正しい位置に規制し、位置合わせした状態で積層させて保持することができる。
【００３０】
また、前記押圧部８には可撓性が付与されているので、液晶表示パネル２などの部品がその外形寸法を多少増減して作製されたような場合であっても、前記第１押圧手段８と第２押圧手段９の押圧部の可撓性により前記部品の寸法誤差を吸収することができ、フレームケース１（モジュール）の外形寸法には影響を与えることがない等の効果を奏する。
【００３１】
さらに、本発明は、必要に応じて種々の変更が可能である。例えば、表示パネルとして液晶表示パネルを例に挙げて説明したが、有機ＥＬ表示パネルやプラズマ表示パネルであってもよい。
【００３２】
また、本実施形態においては、前記第１押圧手段および第２押圧手段９の形状は、本実施形態においては前記凹部４内へ彎曲して突出する円弧状としたが、この形状に限らず、可撓性を付与されつつ前記凹部４内へ突出する形状とすればよい。
【００３３】
また、前記押圧部８の撓み幅を確保すべく、本実施形態においては、前記開口部７を、前記凹部４を構成する側壁５ｂとこれに連接する底壁６とにより形成される底面コーナー部および端壁５ｂとこれに連接する底壁６とにより形成される底面コーナー部に配設する構成としたが、例えば、前記開口部７を、前記底壁６にのみ形成し、開口部７に対応する側壁５ｂや端壁５ｄの厚さ方向寸法を当該側壁５ｂや端壁５ｄの他方の部分の厚さ方向寸法と同一にするように配設することも可能である。このような構成とした場合には、前記押圧部８を前記凹部４に収納される前記液晶表示パネル２およびバックライトユニット３の側面に対し、それらの積層方向において完全に当接させることが可能となるので、より好ましいものとなる。
【００３４】
さらに、前記第１押圧手段８および第２押圧手段９の前記頂部における上端辺に前記凹部４の上方へ延出する小片状のフックを形成し、このフックを前記凹部４に液晶表示パネル２およびバックライトユニット３などの所定の点数の部品が積層して収納された状態において、前記凹部４に収納された最上面に位置する前記液晶表示パネル２の上面に当接させ、前記凹部４に積層して収納された前記液晶表示パネル２およびバックライトユニット３を底壁６側へ押圧するように作用させ、これらの各部品を前記底壁６との間に挟持して固定させる構成とすることも可能である。この場合、液晶表示パネル２およびバックライトユニット３の固定手段として両面テープを用いる必要もなくなり、各部品のリペア性や組立の作業性にも優れたものとなる。
【図面の簡単な説明】
【００３５】
【図１】本実施形態のフレームケースの構造を示す平面図
【図２】本実施形態のフレームケースにおける開口部を示す要部側面図
【図３】本実施形態のフレームケースと、凹部に収納される液晶表示パネルとの位置関係とフレームケースの構成から生じる作用を模式的に示す平面図
【図４】従来の表示装置におけるフレームケースと、フレームケースに収納される各部品を示す要部分解断面図
【図５】従来の表示装置における問題点を示す模式図
【符号の説明】
【００３６】
１  フレームケース
２  液晶表示パネル
３  バックライトユニット
４  凹部
５  周壁
５ａ、５ｂ  側壁
５ｃ、５ｄ  端壁
６  底壁
７  開口部
８  第１押圧手段
９  第２押圧手段
１０  切欠き部
１５  導光板
１６  反射フィルム
１７  拡散フィルム
１８  光学フィルム
１９  両面テープ
２１、２２  透明基板
２３、２４  偏光板
【図１】
2007003858.tif 000003
【図２】
2007003858.tif 000004
【図３】
2007003858.tif 000005
【図４】
2007003858.tif 000006
【図５】
2007003858.tif 000007